(57)【特許請求の範囲】
【請求項１】
無線通信システムにおける端末（ＵＥ；ｕｓｅｒ  ｅｑｕｉｐｍｅｎｔ）が行う方法において、
システム情報（ＳＩ；ｓｙｓｔｅｍ  ｉｎｆｏｒｍａｔｉｏｎ）アップデート、地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）通知、商用モバイル警報システム（ＣＭＡＳ；ｃｏｍｍｅｒｃｉａｌ  ｍｏｂｉｌｅ  ａｌｅｒｔ  ｓｙｓｔｅｍ）または拡張されたアクセス遮断（ＥＡＢ；ｅｘｔｅｎｄｅｄ  ａｃｃｅｓｓ  ｂａｒｒｉｎｇ）修正のうち少なくとも一つを通知する直接情報をＰＤＣＣＨ（ｐｈｙｓｉｃａｌ  ｄｏｗｎｌｉｎｋ  ｃｏｎｔｒｏｌ  ｃｈａｎｎｅｌ）を介してネットワークから受信し；
前記ネットワークから前記直接情報に関連するシステム情報を受信することを含み、
前記ＵＥは、向上されたカバレッジ内にあるか、セル帯域幅より狭い帯域幅で動作し、
前記ＵＥは無線リソース制御（ＲＲＣ；ｒａｄｉｏ  ｒｅｓｏｕｒｃｅ  ｃｏｎｔｒｏｌ）アイドル状態にあり、
前記直接情報は、関連付けられたページングメッセージなしで受信される方法。
【請求項２】
前記ＰＤＣＣＨは、Ｐ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｔｙ）により構成されることを特徴とする請求項１に記載の方法。
【請求項３】
前記直接情報は、現在の修正周期で受信され、
前記システム情報は、次の修正周期で受信されることを特徴とする請求項１に記載の方法。
【請求項４】
前記システム情報は、ＳＩＢ１０、ＳＩＢ１１、ＳＩＢ１２またはＳＩＢ１４でないシステム情報ブロック（ＳＩＢ；ｓｙｓｔｅｍ  ｉｎｆｏｒｍａｔｉｏｎ  ｂｌｏｃｋ）のうち一つに対応することを特徴とする請求項３に記載の方法。
【請求項５】
前記直接情報は、現在の修正周期で受信され、
前記システム情報は、現在修正周期で受信されることを特徴とする請求項１に記載の方法。
【請求項６】
前記システム情報は、ＥＴＷＳメッセージ、ＣＭＡＳメッセージまたはＥＡＢ情報を伝達するＳＩＢに対応することを特徴とする請求項５に記載の方法。
【請求項７】
前記システム情報は、ＳＩＢ１０、ＳＩＢ１１、ＳＩＢ１２またはＳＩＢ１４のうち一つに対応することを特徴とする請求項６に記載の方法。
【請求項８】
前記直接情報は、前記システム情報がいつまたはどこでスケジューリングされるかを通知することを特徴とする請求項５に記載の方法。
【請求項９】
前記直接情報は、前記システム情報がアップデートされたかどうかを通知することを特徴とする請求項１に記載の方法。
【請求項１０】
前記直接情報は、前記システム情報の送信のために使われるＤＬ（ｄｏｗｎｌｉｎｋ）リソースとＭＣＳ（ｍｏｄｕｌａｔｉｏｎ  ａｎｄ  ｃｏｄｉｎｇ  ｓｃｈｅｍｅ）を通知することを特徴とする請求項１に記載の方法。
【請求項１１】
前記直接情報は、前記システム情報のトランスポートブロック大きさ（ＴＢＳ；ｔｒａｎｓｐｏｒｔ  ｂｌｏｃｋ  ｓｉｚｅ）を通知することを特徴とする請求項１に記載の方法。
【請求項１２】
前記システム情報を受信することは、前記ネットワークから前記システム情報のスケジューリング情報を含むＳＩＢ１を受信することをさらに含む請求項１に記載の方法。
【請求項１３】
無線通信システムにおける端末（ＵＥ；ｕｓｅｒ  ｅｑｕｉｐｍｅｎｔ）において、
メモリ；
送受信部；及び、
前記メモリ及び前記送受信部と連結されるプロセッサ；を含み、
前記プロセッサは、
ＳＩアップデート、地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）通知、商用モバイル警報システム（ＣＭＡＳ；ｃｏｍｍｅｒｃｉａｌ  ｍｏｂｉｌｅ  ａｌｅｒｔ  ｓｙｓｔｅｍ）または拡張されたアクセス遮断（ＥＡＢ；ｅｘｔｅｎｄｅｄ  ａｃｃｅｓｓ  ｂａｒｒｉｎｇ）修正のうち少なくとも一つを通知する直接情報をＰＤＣＣＨ（ｐｈｙｓｉｃａｌ  ｄｏｗｎｌｉｎｋ  ｃｏｎｔｒｏｌ  ｃｈａｎｎｅｌ）を介してネットワークから受信するように前記送受信部を制御し、
前記ネットワークから前記直接情報に関連するシステム情報を受信するように前記送受信部を制御し、
前記端末は、向上されたカバレッジ内にあるか、セル帯域幅より狭い帯域幅で動作し、
前記ＵＥは無線リソース制御（ＲＲＣ；ｒａｄｉｏ  ｒｅｓｏｕｒｃｅ  ｃｏｎｔｒｏｌ）アイドル状態にあり、
前記直接情報は、関連付けられたページングメッセージなしで受信されることを特徴とする端末。
【発明の詳細な説明】
【技術分野】
【０００１】
本発明は、無線通信に関し、より詳しくは、無線通信システムにおけるシステム情報（ＳＩ；ｓｙｓｔｅｍ  ｉｎｆｏｒｍａｔｉｏｎ）アップデート、拡張されたアクセス遮断（ＥＡＢ；ｅｘｔｅｎｄｅｄ  ａｃｃｅｓｓ  ｂａｒｒｉｎｇ）アップデート及び／または公共警報システム（ＰＷＳ；ｐｕｂｌｉｃ  ｗａｒｎｉｎｇ  ｓｙｓｔｅｍ）メッセージを通知するための方法及び装置に関する。
【背景技術】
【０００２】
３ＧＰＰ ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＬＴＥ−Ａの将来バージョンでは、メータ検針、水位測定、監視カメラの利用、自販機の在庫報告などのようなデータ通信に重点を置き、低値型／低仕様（または、複雑性が低い）端末（ＵＥ；ｕｓｅｒ  ｅｑｕｉｐｍｅｎｔ）を構成することが考慮されてきた。便宜上、これらのＵＥは、ＭＴＣ（ｍａｃｈｉｎｅ  ｔｙｐｅ  ｃｏｍｍｕｎｉｃａｔｉｏｎ）ＵＥと呼ばれる。ＭＴＣ  ＵＥは、送信データ量が少なくて時々アップリンクデータ送信／ダウンリンクデータ受信をするため、低いデータレートによってＵＥの費用及びバッテリ消耗を減らすことが効率的である。特に、ＭＴＣ  ＵＥの動作周波数帯域幅を一層小さくすることで、ＭＴＣ  ＵＥのＲＦ（ｒａｄｉｏ  ｆｒｅｑｕｅｎｃｙ）／ベースバンド複雑性を相当減少させることによってＵＥの費用及びバッテリ消耗が減少されることができる。
【０００４】
ページングは、ネットワークがＵＥに“私があなたのためになにかを有している”と述べるメカニズムである。このとき、該当ＵＥは、ページングメッセージの内容を解読して（ページング原因）、このＵＥは、適切な手順を開始しなければならない。ページング手順の目的は、ＲＲＣ＿ＩＤＬＥのＵＥをページングすることにあり、即ち、ページング情報をＲＲＣ＿ＩＤＬＥのＵＥに送信することにある。また、前記説明したように、ページング手順の目的は、ＲＲＣ＿ＩＤＬＥのＵＥ及びＲＲＣ＿ＣＯＮＮＥＣＴＥＤのＵＥに対してシステム情報の変更の通知、及び／または地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）の一次通知及び／またはＥＴＷＳ二次通知の通知、及び／または商用モバイル警報システム（ＣＭＡＳ；ｃｏｍｍｅｒｃｉａｌ  ｍｏｂｉｌｅ  ａｌｅｒｔ  ｓｙｓｔｅｍ）通知に対する通知、及び／またはＲＲＣ＿ＩＤＬＥのＵＥに対する拡張されたアクセス遮断（ＥＡＢ；ｅｘｔｅｎｄｅｄ  ａｃｃｅｓｓ  ｂａｒｒｉｎｇ）パラメータ修正に対する通知を実行することにある。
【０００５】
新しい類型のＵＥ、例えば、ＭＴＣ  ＵＥのために、システム情報変更、ＥＴＷＳ／ＣＭＡＳ通知またはＥＡＢパラメータ修正に対する通知のためのメカニズムを向上させる必要がある。
【発明の概要】
【発明が解決しようとする課題】
【０００６】
本発明は、無線通信システムにおけるシステム情報（ＳＩ；ｓｙｓｔｅｍ  ｉｎｆｏｒｍａｔｉｏｎ）アップデート、拡張されたアクセス遮断（ＥＡＢ；ｅｘｔｅｎｄｅｄ  ａｃｃｅｓｓ  ｂａｒｒｉｎｇ）アップデート及び／または公共警報システム（ＰＷＳ；ｐｕｂｌｉｃ  ｗａｒｎｉｎｇ  ｓｙｓｔｅｍ）メッセージを通知するための方法及び装置を提供する。本発明は、ＳＩアップデート、地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）通知、商用モバイル警報システム（ＣＭＡＳ；ｃｏｍｍｅｒｃｉａｌ  ｍｏｂｉｌｅ  ａｌｅｒｔ  ｓｙｓｔｅｍ）またはＥＡＢ修正のうち少なくとも一つに対する指示をＰＤＣＣＨ（ｐｈｙｓｉｃａｌ  ｄｏｗｎｌｉｎｋ  ｃｏｎｔｒｏｌ  ｃｈａｎｎｅｌ）を介してネットワークから受信するための方法及び装置を提供する。
【課題を解決するための手段】
【０００７】
一態様において、無線通信システムにおける端末（ＵＥ；ｕｓｅｒ  ｅｑｕｉｐｍｅｎｔ）がシステム情報（ＳＩ；ｓｙｓｔｅｍ  ｉｎｆｏｒｍａｔｉｏｎ）を受信する方法が提供される。前記方法は、ＳＩアップデート、地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）通知、商用モバイル警報システム（ＣＭＡＳ；ｃｏｍｍｅｒｃｉａｌ  ｍｏｂｉｌｅ  ａｌｅｒｔ  ｓｙｓｔｅｍ）または拡張されたアクセス遮断（ＥＡＢ；ｅｘｔｅｎｄｅｄ  ａｃｃｅｓｓ  ｂａｒｒｉｎｇ）修正のうち少なくとも一つに対する指示をＰＤＣＣＨ（ｐｈｙｓｉｃａｌ  ｄｏｗｎｌｉｎｋ  ｃｏｎｔｒｏｌ  ｃｈａｎｎｅｌ）を介してネットワークから受信し、前記ネットワークから受信された前記指示によってシステム情報を受信することを含む。
【０００８】
前記ＵＥは、向上されたカバレッジ内にある。前記ＵＥは、セル帯域幅より狭い帯域幅で動作する。前記ＰＤＣＣＨは、Ｐ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｔｙ）により構成される。
【０００９】
他の態様において、無線通信システムにおける端末（ＵＥ；ｕｓｅｒ  ｅｑｕｉｐｍｅｎｔ）が提供される。前記端末は、メモリ、送受信部、及び前記メモリ及び前記送受信部と連結されるプロセッサを含み、前記プロセッサは、ＳＩアップデート、地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）通知、商用モバイル警報システム（ＣＭＡＳ；ｃｏｍｍｅｒｃｉａｌ  ｍｏｂｉｌｅ  ａｌｅｒｔ  ｓｙｓｔｅｍ）または拡張されたアクセス遮断（ＥＡＢ；ｅｘｔｅｎｄｅｄ  ａｃｃｅｓｓ  ｂａｒｒｉｎｇ）修正のうち少なくとも一つに対する指示をＰＤＣＣＨ（ｐｈｙｓｉｃａｌ  ｄｏｗｎｌｉｎｋ  ｃｏｎｔｒｏｌ  ｃｈａｎｎｅｌ）を介してネットワークから受信するように前記送受信部を制御し、前記ネットワークから受信された前記指示によってシステム情報を受信するように前記送受信部を制御する。
【発明の効果】
【００１０】
ＳＩアップデート、ＥＴＷＳ通知、ＣＭＡＳ通知またはＥＡＢ修正の指示が端末（ＵＥ；ｕｓｅｒ  ｅｑｕｉｐｍｅｎｔ）、特に、向上されたカバレッジまたはより狭い帯域幅で動作するＵＥに効率的に通知されることができる。
【図面の簡単な説明】
【００１１】
【図１】図１は、ＬＴＥシステムの構造を示す。
【図２】一般的なＥ−ＵＴＲＡＮ及びＥＰＣの構造のブロック図である。
【図３】ＬＴＥシステムのユーザ平面プロトコルスタックのブロック図である。
【図４】ＬＴＥシステムの制御平面プロトコルスタックのブロック図である。
【図５】物理チャンネル構造の一例を示す。
【図６】システム情報変更の例を示す。
【図７】ページング手順を示す。
【図８】本発明の一実施例によって、ＳＩアップデート、ＥＴＷＳ／ＣＭＡＳ通知及び／またはＥＡＢ修正を通知する方法を示す。
【図９】本発明の一実施例を具現するための無線通信システムを示す。
【発明を実施するための形態】
【００１２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ベースのシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１３】
説明を明確にするために、ＬＴＥ−Ａを中心に記述するが、本発明の技術的思想がこれに制限されるものではない。
【００１４】
図１は、ＬＴＥシステムの構造を示す。通信ネットワークは、ＩＭＳ及びパケットデータを介したインターネット電話（Ｖｏｉｃｅ  ｏｖｅｒ  ｉｎｔｅｒｎｅｔ  ｐｒｏｔｏｃｏｌ：ＶｏＩＰ）のような多様な通信サービスを提供するために広く設置される。
【００１５】
図１を参照すると、ＬＴＥシステム構造は、一つ以上の端末（ＵＥ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）及びＥＰＣ（ｅｖｏｌｖｅｄ  ｐａｃｋｅｔ  ｃｏｒｅ）を含む。端末１０は、ユーザにより動く通信装置である。端末１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【００１６】
Ｅ−ＵＴＲＡＮは、一つ以上のｅＮＢ（ｅｖｏｌｖｅｄ  ｎｏｄｅ−Ｂ）２０を含み、一つのセルに複数のＵＥが存在することができる。ｅＮＢ２０は、制御平面（ｃｏｎｔｒｏｌ  ｐｌａｎｅ）とユーザ平面（ｕｓｅｒ  ｐｌａｎｅ）の終端点をＵＥに提供する。ｅＮＢ２０は、一般的にＵＥ１０と通信する固定された地点（ｆｉｘｅｄ  ｓｔａｔｉｏｎ）をいい、ＢＳ（ｂａｓｅ  ｓｔａｔｉｏｎ）、アクセスポイント（ａｃｃｅｓｓ  ｐｏｉｎｔ）など、他の用語で呼ばれることがある。一つのｅＮＢ２０は、セル毎に配置できる。
【００１７】
以下、ＤＬは、ｅＮＢ２０からＵＥ１０への通信を意味し、ＵＬは、ＵＥ１０からｅＮＢ２０への通信を意味する。ＤＬで、送信機はｅＮＢ２０の一部であり、受信機はＵＥ１０の一部である。ＵＬで、送信機はＵＥ１０の一部であり、受信機はｅＮＢ２０の一部である。
【００１８】
ＥＰＣは、ＭＭＥ（ｍｏｂｉｌｉｔｙ  ｍａｎａｇｅｍｅｎｔ  ｅｎｔｉｔｙ）とＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含む。ＭＭＥ／Ｓ−ＧＷ３０は、ネットワークの終端に位置し、外部ネットワークと連結できる。明確性のために、ＭＭＥ／Ｓ−ＧＷ３０は“ゲートウェイ”と単純に表現し、これはＭＭＥ及びＳ−ＧＷを全て含むことができる。
【００１９】
ＭＭＥは、ｅＮＢ２０へのＮＡＳ（ｎｏｎ−ａｃｃｅｓｓ  ｓｔｒａｔｕｍ）シグナリング、ＮＡＳシグナリング保安、ＡＳ（ａｃｃｅｓｓ  ｓｔｒａｔｕｍ）保安制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行含み）、トラッキング領域リスト管理（アイドルモード及び活性化モードであるＵＥのために）、Ｐ−ＧＷ（ＰＤＮ（ｐａｃｋｅｔ  ｄａｔａ  ｎｅｔｗｏｒｋ）ｇａｔｅｗａｙ）及びＳ−ＧＷ選択、ＭＭＥ変更と共にハンドオーバーのためのＭＭＥ選択、２Ｇまたは３Ｇ  ３ＧＰＰアクセスネットワークへのハンドオーバーのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含んだベアラ管理機能、ＰＷＳ（ｐｕｂｌｉｃ  ｗａｒｎｉｎｇ  ｓｙｓｔｅｍ：地震／津波警報システム（ＥＴＷＳ）、及び商用モバイル警報システム（ＣＭＡＳ）含み）メッセージ送信サポートなどの多様な機能を提供する。Ｓ−ＧＷホストは、ユーザ別基盤パケットフィルタリング（例えば、深層パケット検査を通じて）、合法的遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲ（ａｃｃｅｓｓ  ｐｏｉｎｔ  ｎａｍｅ  ａｇｇｒｅｇａｔｅ  ｍａｘｉｍｕｍ  ｂｉｔ  ｒａｔｅ）に基づいたＤＬ等級強制の各種の機能を提供する。
【００２０】
ユーザトラフィック送信または制御トラフィック送信のためのインターフェースが使用できる。ＵＥ１０及びｅＮＢ２０は、Ｕｕインターフェースにより接続される。ｅＮＢ２０は、Ｘ２インターフェースにより相互間接続される。隣接するｅＮＢ２０は、Ｘ２インターフェースによる網型ネットワーク構造を有することができる。複数のノードは、ｅＮＢ２０とゲートウェイ３０との間にＳ１インターフェースを介して接続できる。
【００２１】
図２は、一般的なＥ−ＵＴＲＡＮ及びＥＰＣの構造のブロック図である。図２を参照すると、ｅＮＢ２０はゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬからＵＥ１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で接続移動性制御機能を遂行することができる。前述したように、ゲイウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００２２】
図３は、ＬＴＥシステムのユーザ平面プロトコルスタックのブロック図である。図４は、ＬＴＥシステムの制御平面プロトコルスタックのブロック図である。ＵＥとＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいて、Ｌ１（第１の階層）、Ｌ２（第２の階層）、及びＬ３（第３の階層）に区分される。
【００２３】
物理階層（ＰＨＹ；ｐｈｙｓｉｃａｌ  ｌａｙｅｒ）は、Ｌ１に属する。物理階層は、物理チャンネルを介して上位階層に情報転送サービスを提供する。物理階層は、上位階層であるＭＡＣ（ｍｅｄｉａ  ａｃｃｅｓｓ  ｃｏｎｔｒｏｌ）階層とトランスポートチャンネル（ｔｒａｎｓｐｏｒｔ  ｃｈａｎｎｅｌ）を介して接続される。物理チャンネルは、トランスポートチャンネルにマッピングされる。トランスポートチャンネルを介してＭＡＣ階層と物理階層との間にデータが転送される。互いに異なる物理階層の間、即ち、送信機の物理階層と受信機の物理階層との間にデータは、物理チャンネルを介して転送される。
【００２４】
ＭＡＣ階層、ＲＬＣ（ｒａｄｉｏ  ｌｉｎｋ  ｃｏｎｔｒｏｌ）階層、及びＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＭＡＣ階層は、論理チャンネル（ｌｏｇｉｃａｌ  ｃｈａｎｎｅｌ）を介して上位階層であるＲＬＣ階層にサービスを提供する。ＭＡＣ階層は、論理チャンネル上のデータ転送サービスを提供する。ＲＬＣ階層は、信頼性あるデータ送信をサポートする。一方、ＲＬＣ階層の機能は、ＭＡＣ階層の内部の機能ブロックで具現されることができ、この際、ＲＬＣ階層は、存在しないこともある。ＰＤＣＰ階層は、相対的に帯域幅の小さい無線インターフェース上でＩＰｖ４またはＩＰｖ６のようなＩＰパケットを導入して送信されるデータが効率良く送信されるように不要な制御情報を減らすヘッダー圧縮機能を提供する。
【００２５】
ＲＲＣ（ｒａｄｉｏ  ｒｅｓｏｕｒｃｅ  ｃｏｎｔｒｏｌ）階層は、Ｌ３に属する。Ｌ３の最も下端部分に位置するＲＲＣ階層はただ制御平面のみで定義される。ＲＲＣ階層は、ＲＢ（ｒａｄｉｏ  ｂｅａｒｅｒ）などの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャンネル、トランスポートチャンネル、及び物理チャンネルなどの制御を担当する。ＲＢは、ＵＥとＥ−ＵＴＲＡＮとの間のデータ送信のためにＬ２により提供されるサービスを意味する。
【００２６】
図３を参照すると、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００２７】
図３−（ｂ）を参照すると、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ接続管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００２８】
図５は、物理チャンネル構造の一例を示す。物理チャンネルは、無線リソースを通じてＵＥの物理階層とｅＮＢの物理階層との間のシグナリング及びデータを転送する。物理チャンネルは、時間領域で複数のサブフレームと周波数領域で複数の副搬送波で構成される。１ｍｓである一つのサブフレームは、時間領域で複数のシンボルで構成される。該当サブフレームの特定シンボル、例えば、サブフレームの第１のシンボルは、ＰＤＣＣＨのために使用できる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝達することができる。
【００２９】
ＤＬトランスポートチャンネルは、システム情報を送信するために使われるＢＣＨ（ｂｒｏａｄｃａｓｔ  ｃｈａｎｎｅｌ）、ＵＥをページングするために使われるＰＣＨ（ｐａｇｉｎｇ  ｃｈａｎｎｅｌ）、ユーザトラフィックまたは制御信号を送信するために使われるＤＬ−ＳＣＨ（ｄｏｗｎｌｉｎｋ  ｓｈａｒｅｄ  ｃｈａｎｎｅｌ）、マルチキャストまたはブロードキャストサービス送信のために使われるＭＣＨ（ｍｕｌｔｉｃａｓｔ  ｃｈａｎｎｅｌ）などを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。
【００３０】
ＵＬトランスポートチャンネルは、一般的にセルへの初期アクセスのために使われるＲＡＣＨ（ｒａｎｄｏｍ  ａｃｃｅｓｓ  ｃｈａｎｎｅｌ）、ユーザトラフィック、または制御信号を送信するために使われるＵＬ−ＳＣＨ（ｕｐｌｉｎｋ  ｓｈａｒｅｄ  ｃｈａｎｎｅｌ）などを含む。ＵＬ−ＳＣＨは、ＨＡＲＱ及び送信電力及び潜在的な変調及びコーディングの変化による動的リンク適応をサポートする。また、ＵＬ−ＳＣＨは、ビームフォーミングの使用を可能にすることができる。
【００３１】
論理チャンネルは、送信される情報の種類によって、制御平面の情報伝達のための制御チャンネルとユーザ平面の情報伝達のためのトラフィックチャンネルに分類される。即ち、論理チャンネルタイプのセットは、ＭＡＣ階層により提供される互いに異なるデータ転送サービスのために定義される。
【００３２】
制御チャンネルは、制御平面の情報伝達のみのために使われる。ＭＡＣ階層により提供される制御チャンネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）、及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのＤＬチャンネルである。ＰＣＣＨは、ページング情報の転送のためのＤＬチャンネルであり、ネットワークがＵＥのセル単位の位置を知らない時に使われる。ＣＣＣＨは、ネットワークとＲＲＣ接続を有しない時、ＵＥにより使われる。ＭＣＣＨは、ネットワークからＵＥにＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）制御情報を送信するために使われる一対多のＤＬチャンネルである。ＤＣＣＨは、ＵＥとネットワークとの間に専用制御情報送信のためにＲＲＣ接続を有するＵＥにより使われる一対一の両方向チャンネルである。
【００３３】
トラフィックチャンネルは、ユーザ平面の情報伝達のみのために使われる。ＭＡＣ階層により提供されるトラフィックチャンネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは一対一のチャンネルであって、一つのＵＥのユーザ情報の転送のために使われて、ＵＬ及びＤＬの両方ともに存在することができる。ＭＴＣＨは、ネットワークからＵＥにトラフィックデータを送信するための一対多のＤＬチャンネルである。
【００３４】
論理チャンネルとトランスポートチャンネルとの間のＵＬ接続は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルとトランスポートチャンネルとの間のＤＬ接続は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３５】
ＲＲＣ状態は、ＵＥのＲＲＣ階層がＥ−ＵＴＲＡＮのＲＲＣ階層と論理的に接続されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（ｄｉｓｃｏｎｔｉｎｕｏｕｓ  ｒｅｃｅｐｔｉｏｎ）を指定する間に、ＵＥはシステム情報及びページング情報の放送を受信することができる。そして、ＵＥは、トラッキング領域でＵＥを固有に指定するＩＤ（ｉｄｅｎｔｉｆｉｃａｔｉｏｎ）の割当を受けて、ＰＬＭＮ（ｐｕｂｌｉｃ  ｌａｎｄ  ｍｏｂｉｌｅ  ｎｅｔｗｏｒｋ）選択及びセル再選択を遂行することができる。また、ＲＲＣ＿ＩＤＬＥで、いかなるＲＲＣコンテクストもｅＮＢに格納されない。
【００３６】
ＲＲＣ＿ＣＯＮＮＥＣＴＥＤで、ＵＥは、Ｅ−ＵＴＲＡＮでＥ−ＵＴＲＡＮ  ＲＲＣ接続及びコンテクストを有して、ｅＮＢにデータを送信及び／又はｅＮＢからデータを受信することが可能である。また、ＵＥは、ｅＮＢにチャンネル品質情報及びフィードバック情報を報告することができる。ＲＲＣ＿ＣＯＮＮＥＣＴＥＤで、Ｅ−ＵＴＲＡＮは、ＵＥが属したセルを知ることができる。したがって、ネットワークは、ＵＥにデータを送信及び／又はＵＥからデータを受信することができ、ネットワークは、ＵＥの移動性（ハンドオーバー及びＮＡＣＣ（ｎｅｔｗｏｒｋ  ａｓｓｉｓｔｅｄ  ｃｅｌｌ  ｃｈａｎｇｅ）を通じてのＧＥＲＡＮ（ＧＳＭ  ＥＤＧＥ  ｒａｄｉｏ  ａｃｃｅｓｓ  ｎｅｔｗｏｒｋ）でｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接するセルのためにセル測定を遂行することができる。
【００３７】
ＲＲＣ＿ＩＤＬＥで、ＵＥは、ページングＤＲＸ周期を指定する。具体的に、ＵＥは、ＵＥ特定ページングＤＲＸ周期毎の特定ページング機会（ｐａｇｉｎｇ  ｏｃｃａｓｉｏｎ）にページング信号をモニタする。ページング機会は、ページング信号が送信される間の時間区間である。ＵＥは、自分だけのページング機会を有している。ページングメッセージは、同一なトラッキング領域（ＴＡ；ｔｒａｃｋｉｎｇ  ａｒｅａ）に属する全てのセル上に送信される。ＵＥが一つのＴＡから他のＴＡに移動すれば、ＵＥは、自身の位置をアップデートするためにネットワークにＴＡＵ（ｔｒａｃｋｉｎｇ  ａｒｅａ  ｕｐｄａｔｅ）メッセージを送信することができる。
【００３８】
システム情報（ＳＩ；ｓｙｓｔｅｍ  ｉｎｆｏｒｍａｔｉｏｎ）を説明する。これは３ＧＰＰ  ＴＳ  ３６．３３１  Ｖ１２．６．０（２０１５−０６）のセクション５．２．１を参照することができる。システム情報は、ＭａｓｔｅｒＩｎｆｏｒｍａｔｉｏｎＢｌｏｃｋ（ＭＩＢ）及び複数個のＳｙｓｔｅｍＩｎｆｏｒｍａｔｉｏｎＢｌｏｃｋ（ＳＩＢ）に分けられる。ＭＩＢは、セルから他の情報を取得するために必要な最も本質的かつ最も頻繁に送信されるパラメータのうち制限された個数を含み、ＢＣＨ上で送信される。ＳｙｓｔｅｍＩｎｆｏｒｍａｔｉｏｎＢｌｏｃｋＴｙｐｅ１でないＳＩＢは、ＳｙｓｔｅｍＩｎｆｏｒｍａｔｉｏｎ（ＳＩ）メッセージ内で送信され、ＳＩＢのＳＩメッセージへのマッピングは、ＳｙｓｔｅｍＩｎｆｏｒｍａｔｉｏｎＢｌｏｃｋＴｙｐｅ１に含まれたｓｃｈｅｄｕｌｉｎｇＩｎｆｏＬｉｓｔにより柔軟に構成されることができるが、次のような制限がある。各ＳＩＢは、単一ＳＩメッセージにのみ含まれ、該当メッセージ内に一つのみが含まれる。同じスケジューリング要件（周期）を有するＳＩＢのみが同じＳＩメッセージにマッピングされることができる。ＳｙｓｔｅｍＩｎｆｏｒｍａｔｉｏｎＢｌｏｃｋＴｙｐｅ２は、常にｓｃｈｅｄｕｌｉｎｇＩｎｆｏＬｉｓｔ内のＳＩメッセージのリスト内の１番目の項目に該当するＳＩメッセージにマッピングされる。同じ周期に送信される複数のＳＩメッセージがある。ＳｙｓｔｅｍＩｎｆｏｒｍａｔｉｏｎＢｌｏｃｋＴｙｐｅ１及び全てのＳＩメッセージは、ＤＬ−ＳＣＨ上で送信される。
【００３９】
放送だけでなく、Ｅ−ＵＴＲＡＮは、同じパラメータ値を含むＳｙｓｔｅｍＩｎｆｏｒｍａｔｉｏｎＢｌｏｃｋＴｙｐｅ１を専用シグナリングを介して、即ち、ＲＲＣＣｏｎｎｅｃｔｉｏｎＲｅｃｏｎｆｉｇｕｒａｔｉｏｎメッセージ内で提供できる。
【００４０】
ＵＥは、システム情報取得及び変更モニタリング手順をＰＣｅｌｌ（ｐｒｉｍａｒｙ  ｃｅｌｌ）に対して適用する。ＳＣｅｌｌ（ｓｅｃｏｎｄａｒｙ  ｃｅｌｌ）に対しては、Ｅ−ＵＴＲＡＮが専用シグナリングを介してＳＣｅｌｌを追加する時、ＲＲＣ＿ＣＯＮＮＥＣＴＥＤでの動作に関連した全てのシステム情報を提供する。しかし、二重接続（ＤＣ；ｄｕａｌ  ｃｏｎｎｅｃｔｉｖｉｔｙ）で構成されたＵＥは、ＰＳＣｅｌｌ（ｐｒｉｍａｒｙ  ＳＣｅｌｌ）のＭａｓｔｅｒＩｎｆｏｒｍａｔｉｏｎＢｌｏｃｋを取得しなければならず、これをＳＣＧ（ｓｅｃｏｎｄａｒｙ  ｃｅｌｌ  ｇｒｏｕｐ）のＳＦＮ（ｓｙｓｔｅｍ  ｆｒａｍｅ  ｎｕｍｂｅｒ）タイミングを決定するときにのみ使用するようになり、これはＭＣＧ（ｍａｓｔｅｒ  ｃｅｌｌ  ｇｒｏｕｐ）の場合とは異なる。構成されたＳＣｅｌｌの関連したシステム情報が変更されると、Ｅ−ＵＴＲＡＮは、関連したＳＣｅｌｌを解除した後に再びこれを追加し、これは単一ＲＲＣＣｏｎｎｅｃｔｉｏｎＲｅｃｏｎｆｉｇｕｒａｔｉｏｎメッセージにより実行されることができる。ＵＥがセル内でＭＢＭＳサービスを受信している場合、またはこれを受信することに関心がある場合、該当ＵＥは、システム情報取得及び変更モニタリング手順を適用することでＭＢＭＳ動作に関連したパラメータを取得し、システム情報から取得したパラメータを該当セルに対するＭＢＭＳ動作のためにのみ適用する。
【００４１】
システム情報有効性及び変更の通知を説明する。システム情報（地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）、商用警報システム（ＣＭＡＳ；ｃｏｍｍｅｒｃｉａｌ  ｍｏｂｉｌｅ  ａｌｅｒｔ  ｓｙｓｔｅｍ）及び拡張されたアクセス遮断（ＥＡＢ；ｅｘｔｅｎｄｅｄ  ａｃｃｅｓｓ  ｂａｒｒｉｎｇ）パラメータに対することではない）の変更は、特定の無線フレームでのみ発生でき、即ち、修正周期の概念が使われる。システム情報は、スケジューリングで定義されたとおりに修正周期内で同じ内容で数回送信されることができる。修正周期境界は、ＳＦＮ値により定義され、これに対してＳＦＮ  ｍｏｄ  ｍ＝０であり、そのとき、ｍは、修正周期を含む無線フレームの個数である。修正周期は、システム情報により構成される。
【００４２】
図６は、システム情報変更の例を示す。ネットワークが（一部の）システム情報を変更させる場合、まず、ＵＥにこのような変更に対して通知し、即ち、これは修正周期を介して実行されることができる。次の修正周期に、ネットワークは、アップデートされたシステム情報を送信する。図６を参照すると、異なるパターンは、異なるシステム情報を示す。変更通知を受信すると、ＵＥは、次の修正周期の初めから新しいシステム情報を直ちに取得する。ＵＥは、新しいシステム情報を取得する時まで以前に取得したシステム情報を適用する。
【００４３】
Ｐａｇｉｎｇメッセージは、ＲＲＣ＿ＩＤＬＥのＵＥ及びＲＲＣ＿ＣＯＮＮＥＣＴＥＤのＵＥにシステム情報変更を通知するために使われる。ＵＥがＳｙｓｔｅｍＩｎｆｏＭｏｄｉｆｉｃａｔｉｏｎを含むＰａｇｉｎｇメッセージを受信すると、ＵＥは、システム情報が次の修正周期境界で変更されることを知るようになる。ＵＥがシステム情報での変更に対する通知を受けることができるが、それ以上の詳細事項、例えば、いかなるシステム情報が変更されるかに対する情報は提供されない。
【００４４】
ＳｙｓｔｅｍＩｎｆｏｒＢｌｏｃｋＴｙｐｅ１は、値に対するタグであるＳｙｓｔｅｍＩｎｆｏＶａｌｕｅＴａｇを含み、これはＳＩメッセージ内で変更が発生したかを指示する。ＵＥは、例えば、カバレッジ外から戻る時、ＳｙｓｔｅｍＩｎｆｏＶａｌｕｅＴａｇを使用することで以前に格納されたＳＩメッセージが依然として有効かを確認することができる。追加的に、特に定義されない限り、ＵＥは、格納されたシステム情報が成功的に有効であると確認された瞬間から３時間以後には有効でないと見なす。
【００４５】
Ｅ−ＵＴＲＡＮは、一部システム情報、例えば、ＥＴＷＳ情報、ＣＭＡＳ情報、時間情報のように正規的に変化するパラメータ（ＳｙｓｔｅｍＩｎｆｏｒＢｌｏｃｋＴｙｐｅ８、ＳｙｓｔｅｍＩｎｆｏｒＢｌｏｃｋＴｙｐｅ１６）、ＥＡＢパラメータの変更時にＳｙｓｔｅｍＩｎｆｏＶａｌｕｅＴａｇをアップデートしない。同様に、Ｅ−ＵＴＲＡＮは、一部システム情報の変更時にＰａｇｉｎｇメッセージ内にＳｙｓｔｅｍＩｎｆｏＭｏｄｉｆｉｃａｔｉｏｎを含まない。
【００４６】
ＵＥは、修正周期境界以後にＳｙｓｔｅｍＩｎｆｏｒＢｌｏｃｋＴｙｐｅ１内のＳｙｓｔｅｍＩｎｆｏＶａｌｕｅＴａｇを確認し、またはそれぞれの修正周期内で、ページングが受信されない場合、少なくともＭｏｄｉｆｉｃａｔｉｏｎＰｅｒｉｏｄＣｏｅｆｆ回にわたってＳｙｓｔｅｍＩｎｆｏＭｏｄｉｆｉｃａｔｉｏｎ指示をさがそうと試みることによって、格納されたシステム情報が有効に残っていることを確認する。修正周期の間にＵＥによりいかなるページングメッセージも受信されない場合、ＵＥは、次の修正周期境界でシステム情報の変更が発生しないと仮定することができる。ＲＲＣ＿ＣＯＮＮＥＣＴＥＤのＵＥが修正周期の間に一つのページングメッセージを受信する場合、ＵＥは、ＳｙｓｔｅｍＩｎｆｏＭｏｄｉｆｉｃａｔｉｏｎの存在または不在からＥＴＷＳ情報、ＣＭＡＳ情報及びＥＡＢパラメータでないシステム情報の変更が次の修正周期に発生するかどうかを推論することができる。
【００４７】
ＥＴＷＳ及び／またはＣＭＡＳを実行することができるＲＲＣ＿ＣＯＮＮＥＣＴＥＤのＵＥは、ＥＴＷＳ及び／またはＣＭＡＳ通知が存在するかどうかを点検するために、少なくとも各ｄｅｆａｕｌｔＰａｇｉｎｇＣｙｃｌｅ毎にページングを読もうと試みる。
【００４８】
ＥＴＷＳ通知の指示を説明する。ＥＴＷＳ一次通知及び／またはＥＴＷＳ二次通知は、どの時点でも発生できる。ＥＴＷＳ一次通知は、ＳｙｓｔｅｍＩｎｆｏｒＢｌｏｃｋＴｙｐｅ１０内に含まれ、ＥＴＷＳ二次通知は、ＳｙｓｔｅｍＩｎｆｏｒＢｌｏｃｋＴｙｐｅ１１内に含まれる。Ｐａｇｉｎｇメッセージは、ＥＴＷＳ実行能力があるＲＲＣ＿ＩＤＬＥのＵＥ及びＲＲＣ＿ＣＯＮＮＥＣＴＥＤのＵＥにＥＴＷＳ一次通知及び／またはＥＴＷＳ二次通知の存在に対して通知するために使われる。ＵＥがｅｔｗｓ−Ｉｎｄｉｃａｔｉｏｎを含むＰａｇｉｎｇメッセージを受信すると、ＵＥは、ＳｙｓｔｅｍＩｎｆｏｒＢｌｏｃｋＴｙｐｅ１内に含まれたｓｃｈｅｄｕｌｉｎｇＩｎｆｏＬｉｓｔによってＥＴＷＳ一次通知及び／またはＥＴＷＳ二次通知の受信を開始する。ＵＥがＥＴＷＳ通知（ら）を取得する間に、ｅｔｗｓ−Ｉｎｄｉｃａｔｉｏｎを含むＰａｇｉｎｇメッセージを受信する場合、ＵＥは、ＳｙｓｔｅｍＩｎｆｏｒＢｌｏｃｋＴｙｐｅ１内のｓｃｈｅｄｕｌｉｎｇＩｎｆｏＬｉｓｔを再び取得する時まで以前に取得したｓｃｈｅｄｕｌｉｎｇＩｎｆｏＬｉｓｔに基づいてＥＴＷＳ通知（ら）を取得し続ける。
【００４９】
ＵＥは、ＳｙｓｔｅｍＩｎｆｏｒＢｌｏｃｋＴｙｐｅ１内に含まれたｓｃｈｅｄｕｌｉｎｇＩｎｆｏＬｉｓｔを周期的に点検することが要求されないが、ｅｔｗｓ−Ｉｎｄｉｃａｔｉｏｎを含むＰａｇｉｎｇメッセージがＳｙｓｔｅｍＩｎｆｏｒＢｌｏｃｋＴｙｐｅ１０及びＳｙｓｔｅｍＩｎｆｏｒＢｌｏｃｋＴｙｐｅ１１のスケジューリング変化に対して、ＵＥをしてＳｙｓｔｅｍＩｎｆｏｒＢｌｏｃｋＴｙｐｅ１内に含まれたｓｃｈｅｄｕｌｉｎｇＩｎｆｏＬｉｓｔを再び取得するようにトリガする。ＥＴＷＳがそれ以上スケジューリングされない場合、ＵＥは、ｅｔｗｓ−Ｉｎｄｉｃａｔｉｏｎ及び／またはＳｙｓｔｅｍＩｎｆｏＭｏｄｉｆｉｃａｔｉｏｎを含むＰａｇｉｎｇメッセージを受信することもあり、受信しないこともある。
【００５０】
ＣＭＡＳ通知の指示を説明する。ＣＭＡＳ通知は、どの時点でも発生できる。ＣＭＡＳ通知は、ＳｙｓｔｅｍＩｎｆｏｒＢｌｏｃｋＴｙｐｅ１２内に含まれる。ＰａｇｉｎｇメッセージがＣＭＡＳ実行能力があるＲＲＣ＿ＩＤＬＥのＵＥ及びＲＲＣ＿ＣＯＮＮＥＣＴＥＤのＵＥに一つまたはそれ以上のＣＭＡＳ通知が存在するかに対して通知するために使われる。ＵＥがｃｍａｓ−Ｉｎｄｉｃａｔｉｏｎを含むＰａｇｉｎｇメッセージを受信する場合、該当ＵＥは、ＳｙｓｔｅｍＩｎｆｏｒＢｌｏｃｋＴｙｐｅ１に含まれたｓｃｈｅｄｕｌｉｎｇＩｎｆｏＬｉｓｔによってＣＭＡＳ通知の受信を開始する。ＵＥがＣＭＡＳ通知（ら）を取得する間に、ｃｍａｓ−Ｉｎｄｉｃａｔｉｏｎを含むＰａｇｉｎｇメッセージを受信する場合、ＵＥは、ＳｙｓｔｅｍＩｎｆｏｒＢｌｏｃｋＴｙｐｅ１内のｓｃｈｅｄｕｌｉｎｇＩｎｆｏＬｉｓｔを再び取得する時まで以前に取得したｓｃｈｅｄｕｌｉｎｇＩｎｆｏＬｉｓｔに基づいてＣＭＡＳ通知（ら）を取得し続ける。
【００５１】
ＵＥは、ＳｙｓｔｅｍＩｎｆｏｒＢｌｏｃｋＴｙｐｅ１に含まれたｓｃｈｅｄｕｌｉｎｇＩｎｆｏＬｉｓｔを周期的に点検することが要求されないが、ｃｍａｓ−Ｉｎｄｉｃａｔｉｏｎを含むＰａｇｉｎｇメッセージがＳｙｓｔｅｍＩｎｆｏｒＢｌｏｃｋＴｙｐｅ１２に対するスケジューリング変化に対して、ＵＥをしてＳｙｓｔｅｍＩｎｆｏｒＢｌｏｃｋＴｙｐｅ１内に含まれたｓｃｈｅｄｕｌｉｎｇＩｎｆｏＬｉｓｔを再び取得するようにトリガする。ＳｙｓｔｅｍＩｎｆｏｒＢｌｏｃｋＴｙｐｅ１２がそれ以上スケジューリングされない場合、ＵＥは、ｃｍａｓ−Ｉｎｄｉｃａｔｉｏｎ及び／またはＳｙｓｔｅｍＩｎｆｏＭｏｄｉｆｉｃａｔｉｏｎを含むＰａｇｉｎｇメッセージを受信することもあり、受信しないこともある。
【００５２】
ＥＡＢパラメータ変更の通知を説明する。ＥＡＢパラメータの変更は、どの時点でも発生できる。ＥＡＢパラメータは、ＳｙｓｔｅｍＩｎｆｏｒＢｌｏｃｋＴｙｐｅ１４内に含まれる。Ｐａｇｉｎｇメッセージは、ＥＡＢ実行能力があるＲＲＣ＿ＩＤＬＥのＵＥにＥＡＢパラメータの変更に対して、またはＳｙｓｔｅｍＩｎｆｏｒＢｌｏｃｋＴｙｐｅ１４がそれ以上スケジューリングされないことを通知するために使われる。ＵＥがｅａｂ−ＰａｒａｍＭｏｄｉｆｉｃａｔｉｏｎを含むＰａｇｉｎｇメッセージを受信する場合、該当ＵＥは、ＳｙｓｔｅｍＩｎｆｏｒＢｌｏｃｋＴｙｐｅ１に含まれたｓｃｈｅｄｕｌｉｎｇＩｎｆｏＬｉｓｔによってＳｙｓｔｅｍＩｎｆｏｒＢｌｏｃｋＴｙｐｅ１４を取得する。ＵＥがＳｙｓｔｅｍＩｎｆｏｒＢｌｏｃｋＴｙｐｅ１４を取得する間に、ｅａｂ−ＰａｒａｍＭｏｄｉｆｉｃａｔｉｏｎを含むＰａｇｉｎｇメッセージを受信する場合、ＵＥは、ＳｙｓｔｅｍＩｎｆｏｒＢｌｏｃｋＴｙｐｅ１内のｓｃｈｅｄｕｌｉｎｇＩｎｆｏＬｉｓｔを再び取得する時まで以前に取得したｓｃｈｅｄｕｌｉｎｇＩｎｆｏＬｉｓｔに基づいてＳｙｓｔｅｍＩｎｆｏｒＢｌｏｃｋＴｙｐｅ１４を取得し続ける。
【００５３】
ＥＡＢ実行が可能なＵＥは、ＳｙｓｔｅｍＩｎｆｏｒＢｌｏｃｋＴｙｐｅ１に含まれたｓｃｈｅｄｕｌｉｎｇＩｎｆｏＬｉｓｔを周期的に点検することが期待されない。
【００５４】
図７は、ページング手順を示す。ページング情報は、上位階層に提供され、これに対する反応として、例えば、着信通話を受信するためにＲＲＣ接続確立を開始することができる。ステップＳ７０において、Ｅ−ＵＴＲＡＮは、ＵＥのページング発生時にＰａｇｉｎｇメッセージを送信することによってページング手順を開始する。Ｅ−ＵＴＲＡＮは、各ＵＥに対するＰａｇｉｎｇＲｅｃｏｒｄを含むことによってＰａｇｉｎｇメッセージ内の多重ＵＥを構成することができる。また、Ｅ−ＵＴＲＡＮは、Ｐａｇｉｎｇメッセージ内でシステム情報の変更の指示、及び／またはＥＴＷＳ通知またはＣＭＡＳ通知を指示することができる。表１は、Ｐａｇｉｎｇメッセージの例を示す。
【００５５】
【表１】
0006685384.tif 000002
【００５６】
表１を参照すると、Ｐａｇｉｎｇメッセージは、下記の要素のうち少なくとも一つで構成されることができる：
【００５７】
−ｕｅ−Ｉｄｅｎｔｉｔｙフィールド及びｃｎ−Ｄｏｍａｉｎフィールドを含むＰａｇｉｎｇＲｅｃｏｒｄＬｉｓｔ：ｕｅ−Ｉｄｅｎｔｉｔｙフィールドは、ページングされているＵＥのＮＡＳ識別子を提供する。ｃｎ−Ｄｏｍａｉｎフィールドは、ページングの原点を示す。
【００５８】
−ＳｙｓｔｅｍＩｎｆｏＭｏｄｉｆｉｃａｉｔｏｎ：存在する場合、このフィールドは、ＳＩＢ１０、ＳＩＢ１１、ＳＩＢ１２及びＳＩＢ１４でないＢＣＣＨ修正を指示する。
【００５９】
−ｅｔｗｓ−Ｉｎｄｉｃａｔｉｏｎ：存在する場合、このフィールドは、ＥＴＷＳ一次通知及び／またはＥＴＷＳ二次通知を指示する。
【００６０】
−ｃｍａｓ−Ｉｎｄｉｃａｔｉｏｎ：存在する場合、このフィールドは、ＣＭＡＳ通知を指示する。
【００６１】
−ｅａｂ−ＰａｒａｍＭｏｄｉｆｉｃａｔｏｎ：存在する場合、このフィールドは、ＥＡＢパラメータ（ＳＩＢ１４）修正を指示する。
【００６２】
Ｐａｇｉｎｇメッセージを受信すると、ＵＥは、下記の手順を実行する：
【００６３】
１＞ＲＲＣ＿ＩＤＬＥ内の場合、ＰａｇｉｎｇＲｅｃｏｒｄが存在すると、Ｐａｇｉｎｇメッセージ内に含まれたそれらの各々に対して：
【００６４】
２＞ＰａｇｉｎｇＲｅｃｏｒｄ内に含まれたｕｅ−Ｉｄｅｎｔｉｔｙが上位階層により割り当てられたＵＥ識別子のうち一つとマッチする場合：
【００６５】
３＞ｕｅ−Ｉｄｅｎｔｉｔｙ及びｃｎ−Ｄｏｍａｉｎを上位階層に伝達する；
【００６６】
１＞ＳｙｓｔｅｍＩｎｆｏＭｏｄｉｆｉｃａｔｉｏｎが含まれる場合：
【００６７】
２＞システム情報取得手順を使用して要求されるシステム情報を再び取得する。
【００６８】
１＞ｅｔｗｓ−Ｉｎｄｉｃａｔｉｏｎが含まれて、ＵＥがＥＴＷＳ実行能力がある場合：
【００６９】
２＞ＳｙｓｔｅｍＩｎｆｏｒＢｌｏｃｋＴｙｐｅ１を直ちに、即ち、次のシステム情報修正周期境界まで待たずに再び取得する；
【００７０】
２＞ｓｃｈｅｄｕｌｉｎｇＩｎｆｏＬｉｓｔがＳｙｓｔｅｍＩｎｆｏｒＢｌｏｃｋＴｙｐｅ１０が存在することを指示する場合：
【００７１】
３＞ＳｙｓｔｅｍＩｎｆｏｒＢｌｏｃｋＴｙｐｅ１０を取得する；
【００７２】
２＞ｓｃｈｅｄｕｌｉｎｇＩｎｆｏＬｉｓｔがＳｙｓｔｅｍＩｎｆｏｒＢｌｏｃｋＴｙｐｅ１１が存在することを指示する場合：
【００７３】
３＞ＳｙｓｔｅｍＩｎｆｏｒＢｌｏｃｋＴｙｐｅ１１を取得する；
【００７４】
１＞ｃｍａｓ−Ｉｎｄｉｃａｔｉｏｎが含まれて、ＵＥがＣＭＡＳ実行能力がある場合：
【００７５】
２＞ＳｙｓｔｅｍＩｎｆｏｒＢｌｏｃｋＴｙｐｅ１を直ちに、即ち、次のシステム情報修正周期境界まで待たずに再び取得する；
【００７６】
２＞ｓｃｈｅｄｕｌｉｎｇＩｎｆｏＬｉｓｔがＳｙｓｔｅｍＩｎｆｏｒＢｌｏｃｋＴｙｐｅ１２が存在することを指示する場合：
【００７７】
３＞ＳｙｓｔｅｍＩｎｆｏｒＢｌｏｃｋＴｙｐｅ１２を取得する；
【００７８】
１＞ＲＲＣ＿ＩＤＬＥ内で、ｅａｂ−ＰａｒａｍＭｏｄｉｆｉｃａｔｉｏｎが含まれて、ＵＥがＥＡＢ実行能力がある場合：
【００７９】
２＞以前に格納されたＳｙｓｔｅｍＩｎｆｏｒＢｌｏｃｋＴｙｐｅ１４を有効でないと見なす；
【００８０】
２＞ＳｙｓｔｅｍＩｎｆｏｒＢｌｏｃｋＴｙｐｅ１を直ちに、即ち、次のシステム情報修正周期境界まで待たずに再び取得する；
【００８１】
２＞システム情報取得手順を使用してＳｙｓｔｅｍＩｎｆｏｒＢｌｏｃｋＴｙｐｅ１４を再び取得する；
【００８２】
帯域幅が減少された低い複雑度（ＢＬ；ｂａｎｄｗｉｄｔｈ  ｒｅｄｕｃｅｄ  ｌｏｗ  ｃｏｍｐｌｅｘｉｔｙ）のＵＥを説明する。ＢＬ  ＵＥは、いかなるＬＴＥシステム帯域幅でも作動できるが、ＤＬ及びＵＬで６ＰＲＢの制限されたチャンネル帯域幅（１．４ＭＨｚ  ＬＴＥシステムで使用可能な最大チャンネル帯域幅に該当）を有するようになる。ＢＬ  ＵＥは、セルのＭＩＢがＢＬ  ＵＥのアクセスがサポートされることを指示する場合にのみセルに接近できる。そうでない場合、ＵＥは、セルが禁止されたと見なす。ＢＬ  ＵＥは、分離して発生したシステム情報ブロックを受信することができる（異なる時間／周波数リソースを介して送信される）（即ち、繰り返し）。ＢＬ  ＵＥは、放送及びユニキャストに対して１０００に制限されたトランスポートブロックサイズ（ＴＢＳ；ｔｒａｎｓｐｏｒｔ  ｂｌｏｃｋ  ｓｉｚｅ）を有することができる。
【００８３】
向上されたカバレッジ内のＵＥが説明される。向上されたカバレッジ内のＵＥは、セルにアクセスするために、向上されたカバレッジ機能性の使用を必要とするＵＥである。ＵＥは、向上されたカバレッジ内のＵＥのアクセスがサポートされることをセルのＭＩＢが指示する場合にのみ向上されたカバレッジ機能性を使用するセルに接続できる。向上されたカバレッジ内のＵＥに対するシステム情報手順は、ＢＬ  ＵＥに対するシステム情報手順と同じである。向上されたカバレッジ実行が可能なＵＥは、必要な場合、ＢＬ  ＵＥでない場合に通常的なカバレッジ内で、以前のシステム情報を取得することでこの情報を使用することができる。向上されたカバレッジ実行が可能なＵＥは、必要な場合、向上されたカバレッジ内のＵＥに特定のシステム情報を取得することでこの情報を使用することができる。ＲＲＣ＿ＣＯＮＮＥＣＴＥＤ内にある時は、向上されたカバレッジ内のＵＥがＳＩＢ変更を探知することが要求されない。
【００８４】
前記説明したように、Ｐａｇｉｎｇメッセージ内のＰａｇｉｎｇＲｅｃｏｒｅＬｉｓｔは、ＵＥ識別子のリストを含み、各ＵＥ識別子は、Ｓ−ＴＭＳＩ（ＳＡＥ  ｔｅｍｐｏｒａｒｙ  ｍｏｂｉｌｅ  ｓｕｂｓｃｒｉｂｅｒ  ｉｄｅｎｔｉｔｙ）またはＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）のうち一つである。ＵＥ識別子の大きさを考慮して、Ｐａｇｉｎｇメッセージは、大部分ＰａｇｉｎｇＲｅｃｏｒｄＬｉｓｔで占有され、それに対し、Ｐａｇｉｎｇメッセージ内のＳｙｓｔｅｍＩｎｆｏＭｏｄｉｆｉｃａｔｉｏｎ、ｅｔｗｓ−Ｉｎｄｉｃａｔｉｏｎ、ｃｍａｓ−Ｉｎｄｉｃａｔｉｏｎ、及びｅａｂ−ＰａｒａｍＭｏｄｉｆｉｃａｔｏｎは、ただ１ビットの情報である。
【００８５】
ＳＩアップデート、ＥＴＷＳ／ＣＭＡＳ通知及び／またはＥＡＢ修正のために、ＲＲＣ＿ＣＯＮＮＥＣＴＥＤのＵＥは、Ｐａｇｉｎｇメッセージ内のＰａｇｉｎｇＲｅｃｏｒｄＬｉｓｔを受信する必要がなく、これはＰａｇｉｎｇＲｅｃｏｒｄＬｉｓｔがＲＲＣ＿ＩＤＬＥのページングされるＵＥのＵＥ識別子を含むためである。しかし、現在は、ＲＲＣ＿ＣＯＮＮＥＣＴＥＤのＵＥがＳＩアップデート、ＥＴＷＳ／ＣＭＡＳ通知及び／またはＥＡＢ修正を知るためにＰａｇｉｎｇＲｅｃｏｒｄＬｉｓｔを含む全てのＰａｇｉｎｇメッセージを解読する必要がある。
【００８６】
これはＲＲＣ＿ＣＯＮＮＥＣＴＥＤのＵＥと向上されたカバレッジ内のＵＥに過度である。現在の動作方式によると、ＲＲＣ＿ＣＯＮＮＥＣＴＥＤ及び向上されたカバレッジ内のＵＥは、ＳＩアップデート、ＥＴＷＳ／ＣＭＡＳ通知及び／またはＥＡＢ修正のためにＰａｇｉｎｇメッセージの繰り返しを受信する必要がある。これはＵＥをしてＰａｇｉｎｇメッセージの繰り返しを受信するためにバッテリ電力を消耗せしめる。
【００８７】
追加的に、一般ユーザが携帯する装置（例えば、スマート時計）が向上されたカバレッジの利点を有するようにするために、ＥＴＷＳ／ＣＭＡＳ通知は、それらの装置が向上されたカバレッジ内にあるとしても、それらの装置で早く伝達される必要がある。全てのメッセージが成功的に伝達されるためには、より多い時間が消耗される。しかし、Ｐａｇｉｎｇメッセージを使用する現在のＥＴＷＳ／ＣＭＡＳ通知メカニズムが向上されたカバレッジ内で適切に動作するかどうかは確実でない。即ち、向上されたカバレッジが各送信に対して一層多くの繰り返しを要求する場合には、向上されたカバレッジ内で現在のＥＴＷＳ／ＣＭＡＳ通知メカニズムを使用する結果として無線インターフェース上でメッセージ伝達の遅延が発生することができる。
【００８８】
前記記述した問題を解決するために、本発明の実施に係るＳＩアップデート、ＥＴＷＳ／ＣＭＡＳ通知及び／またはＥＡＢ修正を通知する方法が提案される。以下、記述する。
【００８９】
本発明の実施例によると、ＵＥは、セルでのＳＩアップデート、ＥＴＷＳ／ＣＭＡＳ通知及び／またはＥＡＢ修正を知るためにページングメッセージまたはＰＤＣＣＨ（または、ＭＩＢ）を読むかどうかを決定することができる。ページングメッセージを読むかまたはＰＤＣＣＨを読むかは、ＵＥがサービングセルの向上されたカバレッジ内にあるかまたはサービングセルの通常的なカバレッジ内にあるかによって決定されることができる。ＵＥが向上されたカバレッジ内にある場合、前記ＵＥは、ＳＩアップデート、ＥＴＷＳ／ＣＭＡＳ通知及び／またはＥＡＢ修正を知るためにＰＤＣＣＨを読むことができ、ＵＥが通常的なカバレッジ内にある場合、前記ＵＥは、ＳＩアップデート、ＥＴＷＳ／ＣＭＡＳ通知及び／またはＥＡＢ修正を知るためにページングメッセージを読むことができる。他の方式として、ページングメッセージを読むかまたはＰＤＣＣＨを読むかは、ＵＥがセル帯域幅より狭い帯域幅で動作するか（即ち、ＢＬ  ＵＥ）または完全なセル帯域幅で動作するかによって決定されることができる。ＵＥが狭い帯域幅で動作する場合、前記ＵＥは、ＳＩアップデート、ＥＴＷＳ／ＣＭＡＳ通知及び／またはＥＡＢ修正を知るためにＰＤＣＣＨを読むことができ、ＵＥが完全なセル帯域幅で動作する場合、前記ＵＥは、ＳＩアップデート、ＥＴＷＳ／ＣＭＡＳ通知及び／またはＥＡＢ修正を知るためにページングメッセージを読むことができる。他の方式として、ページングメッセージを読むかまたはＰＤＣＣＨを読むかは、ＵＥがＲＲＣ＿ＣＯＮＮＥＣＴＥＤにあるかまたはＲＲＣ＿ＩＤＬＥにあるかによって決定されることができる。ＵＥがＲＲＣ＿ＣＯＮＮＥＣＴＥＤにある場合、前記ＵＥは、ＳＩアップデート、ＥＴＷＳ／ＣＭＡＳ通知及び／またはＥＡＢ修正を知るためにＰＤＣＣＨを読むことができ、ＵＥがＲＲＣ＿ＩＤＬＥにある場合、前記ＵＥは、ＳＩアップデート、ＥＴＷＳ／ＣＭＡＳ通知及び／またはＥＡＢ修正を知るためにページングメッセージを読むことができる。
【００９０】
ＵＥがサービングセルの向上されたカバレッジ内にある場合（例えば、ＵＥがカバレッジ向上動作で構成された場合）またはＵＥがセルの帯域幅より狭い帯域幅で動作する場合、前記ＵＥは、Ｐ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｔｙ）またはＳＩ−ＲＮＴＩ（ｓｙｓｔｅｍ  ｉｎｆｏｒｍａｔｉｏｎ  ＲＮＴＩ）により構成されるＰＤＣＣＨを介してまたはＭＩＢを介して、ＳＩアップデート、ＥＴＷＳ／ＣＭＡＳ通知、及び／またはＥＡＢ修正を受信することができる。例えば、ＲＲＣ＿ＩＤＬＥで、ネットワークは、ＰＤＣＣＨ（例えば、直接指示情報を使用して）を介してＢＬ  ＵＥまたは向上されたカバレッジ内のＵＥに、ＳＩアップデート、ＥＴＷＳ／ＣＭＡＳ通知及びＥＡＢ修正に対して通知できる。ＰＤＣＣＨは、ＢＬ  ＵＥまたは向上されたカバレッジ内のＵＥのための新しいＰＤＣＣＨ（例えば、ＭＴＣ  ＰＤＣＣＨ（ＭＰＤＣＣＨ））である。
【００９１】
ＵＥは、ＰＤＣＣＨまたはＭＩＢを読んだ以後、次の修正周期にアップデートされたＳＩを受信することができる。この場合、ＰＤＣＣＨまたはＭＩＢを読んだ以後、前記ＵＥは、次の修正周期に他のＳＩＢのスケジューリング情報を取得するためにＳＩＢ１を受信することができる。他の方式として、ＵＥは、ＰＤＣＣＨまたはＭＩＢを読んだ以後、ＥＴＷＳ／ＣＭＡＳのためのＳＩＢ（即ち、ＳＩＢ１０、ＳＩＢ１１、ＳＩＢ１２）及び／またはＥＡＢのためのＳＩＢ（即ち、ＳＩＢ１４）を直ちに受信することができる。ＰＤＣＣＨまたはＭＩＢは、いつ／どこでＥＴＷＳ／ＣＭＡＳのためのＳＩＢまたはＥＡＢのためのＳＩＢが送信されるとスケジューリングされるかを指示することができる。このような場合、ＰＤＣＣＨまたはＭＩＢを読んだ以後、ＵＥは、同じ修正周期で他のＳＩＢのスケジューリング情報を取得するためにＳＩＢ１を受信し続ける。
【００９２】
そうでない場合、即ち、ＵＥが通常的なカバレッジ内にあり、またはＵＥが完全なセル帯域幅で動作する場合、ＵＥは、ページングメッセージを介してＳＩアップデート、ＥＴＷＳ／ＣＭＡＳ通知、及び／またはＥＡＢ修正を受信することができ、これは現在のメカニズムに従う。
【００９３】
図８は、本発明の一実施例によって、ＳＩアップデート、ＥＴＷＳ／ＣＭＡＳ通知及び／またはＥＡＢ修正を通知する方法を示す。本実施例において、ＵＥは、サービングセルの向上されたカバレッジ内にあり（例えば、ＵＥがカバレッジ向上動作で構成された場合）、ＵＥは、セル帯域幅より狭い帯域幅で動作する（即ち、ＢＬ  ＵＥ）と仮定する。
【００９４】
ステップＳ１００において、ＵＥは、ＰＤＣＣＨまたはＭＩＢを介して、ＳＩアップデート、ＥＴＷＳ通知、ＣＭＡＳ通知またはＥＡＢ修正のうち少なくとも一つに対する指示を受信する。ＵＥは、Ｐ−ＲＮＴＩまたはＳＩ−ＲＮＴＩにより構成されるＰＤＣＣＨまたはＭＩＢのうち一つを周期的に受信することができる。ＲＲＣ＿ＩＤＬＥにある間に、ＵＥは、ページング機会（ｐａｇｉｎｇ  ｏｃｃａｓｉｏｎ）によってＰＤＣＣＨをモニタリングすることができる。ＲＲＣ＿ＣＯＮＮＥＣＴＥＤにある間に、ＵＥは、サービングセルの向上されたカバレッジ内のＵＥまたはセル帯域幅より狭い帯域幅で動作するＵＥ専用のＢＣＣＨ修正周期によって対してＰＤＣＣＨをモニタリングすることができる。
【００９５】
ステップＳ１１０において、ＵＥは、受信された指示によってシステム情報を受信する。ＰＤＣＣＨを介して受信された指示が一つまたはそれ以上の特定のＳＩＢのＳＩアップデートに対する指示を含む場合、ＵＥは、ＰＤＣＣＨを介して受信された指示に基づいて該当するＳＩＢを受信することができる。対応するＳＩＢは、ＳＩＢ１に含まれたＳＩスケジューリング情報を省略する間に、次の修正周期で受信されることができる。対応するＳＩＢは、サービングセルの向上されたカバレッジ内のＵＥ及び／またはセル帯域幅より狭い帯域幅で動作するＵＥのために専用として使われることができる。一つまたはそれ以上の特定のＳＩＢのＳＩアップデートの指示は、該当ＳＩＢがアップデートされるかどうかを指示することができる。一つまたはそれ以上の特定のＳＩＢのＳＩアップデートの指示は、該当ＳＩＢが送信されるかどうかを指示することができる。一つまたはそれ以上の特定のＳＩＢのＳＩアップデートに対する指示は、該当ＳＩＢの送信に使われるＤＬリソース及びＭＣＳ（ｍｏｄｕｌａｔｉｏｎ  ａｎｄ  ｃｏｄｉｎｇ  ｓｃｈｅｍｅ）を指定することができる。一つまたはそれ以上の特定のＳＩＢのＳＩアップデートに対する指示は、該当ＳＩＢのＴＢＳを指示することができる。
【００９６】
ＰＤＣＣＨを介して受信した指示がＥＴＷＳ／ＣＭＡＳ通知の指示を含む場合、ＵＥは、ＳＩスケジューリング情報を点検するためにＳＩＢ１を受信するよりは、ＰＤＣＣＨを介して受信した指示に基づいてＥＴＷＳ／ＣＭＡＳメッセージを伝達するＳＩＢ（即ち、ＳＩＢ１０／ＳＩＢ１１／ＳＩＢ１２）を直ちに受信することができる。ＥＴＷＳ／ＣＭＡＳメッセージを伝達するＳＩＢは、サービングセルの向上されたカバレッジ内のＵＥ及び／またはセル帯域幅より狭い帯域幅で動作するＵＥのために専用として使われることができる。ＥＴＷＳ／ＣＭＡＳ通知の指示は、ＥＴＷＳ／ＣＭＡＳメッセージを伝達するＳＩＢがアップデートされるかどうかを指示することができる。ＥＴＷＳ／ＣＭＡＳ通知の指示は、ＥＴＷＳ／ＣＭＡＳメッセージを伝達するＳＩＢがいつ送信されるかを指示することができる。ＥＴＷＳ／ＣＭＡＳ通知の指示は、ＥＴＷＳ／ＣＭＡＳメッセージを伝達するＳＩＢの送信に使われるＤＬリソース及びＭＣＳを指定することができる。ＥＴＷＳ／ＣＭＡＳ通知の指示は、ＥＴＷＳ／ＣＭＡＳメッセージを伝達するＳＩＢのＴＢＳを指示することができる。
【００９７】
ＰＤＣＣＨを介して受信した指示がＥＡＢ修正の指示を含む場合、ＵＥは、ＳＩＢ１を受信してＳＩスケジューリング情報を点検するよりは、ＰＤＣＣＨを介して受信した指示に基づいてＥＡＢ情報を伝達するＳＩＢ（即ち、ＳＩＢ１４）を直ちに受信することができる。ＥＡＢ情報を伝達するＳＩＢは、サービングセルの向上されたカバレッジ内のＵＥ及び／またはセル帯域幅より狭い帯域幅で動作するＵＥのために専用として使われることができる。ＥＡＢ修正の指示は、ＥＡＢ情報を伝達するＳＩＢがアップデートされるかどうかを指示することができる。ＥＡＢ修正の指示は、ＥＡＢ情報を伝達するＳＩＢがいつ送信されるかを指示することができる。ＥＡＢ修正の指示は、ＥＡＢ情報を伝達するＳＩＢの送信のために使われるＤＬリソース及びＭＣＳを指定することができる。ＥＡＢ修正の指示は、ＥＡＢ情報を伝達するＳＩＢのＴＢＳを指示することができる。
【００９８】
図９は、本発明の一実施例を具現するための無線通信システムを示す。
【００９９】
ｅＮＢ８００は、プロセッサ８１０、メモリ８２０及び送受信部８３０を含むことができる。前記プロセッサ８１０は、提案された機能、手順及び／または本明細書に記述された方法を実行するように構成されることができる。無線インターフェースプロトコルの階層がプロセッサ８１０内に具現されることができる。前記メモリ８２０は、前記プロセッサ８１０と連結されており、前記プロセッサ８１０を動作するための多様な情報を含む。前記送受信部８３０は、前記プロセッサ８１０と連結されており、無線信号の送信及び／または受信を実行する。
【０１００】
ＵＥ９００は、プロセッサ９１０、メモリ９２０及び送受信部９３０を含むことができる。前記プロセッサ９１０は、本明細書で記述されている提案された機能、手順及び／または方法を具現するために構成されることができる。即ち、前記プロセッサ９１０は、前記送受信部９３０を制御してＳＬ送信リソースを要求するために、ＣＢ−ＳＲリソースを使用してＣＢ−ＳＲをｅＮＢ８００に送信でき、ＳＬ送信リソースに対するＳＬ承認が受信されたかどうかを決定することができる。無線インターフェースプロトコルの階層が前記プロセッサ９１０内に具現されることができる。前記メモリ９２０は、前記プロセッサ９１０と連結されており、前記プロセッサ９１０を動作するための多様な情報を含む。前記送受信部９３０は、前記プロセッサ９１０と連結されており、無線信号の送信及び／または受信を実行する。
【０１０１】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、上述した技法は、上述した機能を果たすモジュール（過程、機能等）で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた様々な手段にてプロセッサ８１０、９１０と連結されることができる。
【０１０２】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
0006685384.tif 000003
【図２】
0006685384.tif 000004
【図３】
0006685384.tif 000005
【図４】
0006685384.tif 000006
【図５】
0006685384.tif 000007
【図６】
0006685384.tif 000008
【図７】
0006685384.tif 000009
【図８】
0006685384.tif 000010
【図９】
0006685384.tif 000011